(57)【要約】【課題】ネジ継手に合いマークを記す作業を行う際、容易に且つ高い精度でネジ継手を適正トルクで締め上げた状態にすることができるネジ継手締め上げ装置を提供する。【解決手段】雄ネジ継手１と雌ネジ継手２の一方の継手が固定される第一継手固定部３と、他方の継手が固定される第二継手固定部４と、一方のネジ継手に対して他方のネジ継手を相対回動させるシリンダー装置５とからなり、螺動させる継手が固定される第二継手固定部４は、シリンダー装置５が接続されるシリンダー接続部６が設けられているとともに、このシリンダー接続部６を所定のシリンダー接続位置に位置調整する位置調整機構を有する構成とされているネジ継手締め上げ装置。【選択図】図１
2018140467.tif 000002
【特許請求の範囲】
【請求項１】
土木建築分野において支柱や杭として使用される大径金属管の螺着継合に用いられるネジ継手の一方の雄ネジ継手と他方の雌ネジ継手のいずれか一方の継手が固定される第一継手固定部と、他方の継手が固定される第二継手固定部と、前記第一継手固定部に固定された前記雄ネジ継手と前記雌ネジ継手の一方のネジ継手に対して前記第二継手固定部に固定された他方のネジ継手を相対回動させるシリンダー装置とからなり、前記第一継手固定部と前記第二継手固定部に固定され仮締め状態とされた前記雄ネジ継手と前記雌ネジ継手を、前記シリンダー装置の作動により前記第二継手固定部に装着された前記雄ネジ継手と前記雌ネジ継手のいずれか一方のネジ継手を他方のネジ継手に対して相対回動させて設定トルクで締め上げるネジ継手締め上げ装置であって、前記第二継手固定部は、前記仮締め状態時に前記シリンダー装置が接続されるシリンダー接続部が設けられているとともに、このシリンダー接続部を所定のシリンダー接続位置に位置調整する位置調整機構を有する構成とされていることを特徴とするネジ継手締め上げ装置。
【請求項２】
前記位置調整機構は、前記雄ネジ継手又は前記雌ネジ継手を固定するための継手固定装置を有する継手固定基板部と、前記シリンダー接続部を有し前記継手固定基板部に回動自在に設けられる回動基板部と、前記継手固定基板部に対する前記回動基板部の相対回動を不能にする回動動作抑止手段とからなり、前記継手固定基板部に対して前記回動基板部を相対回動させることで前記継手固定基板部に固定された前記雄ネジ継手又は前記雌ネジ継手を螺動させることなく前記シリンダー接続部を前記シリンダー接続位置に移動調整することができ、前記回動動作抑止手段により前記回動基板部を前記継手固定基板部に対して回動動作不能にすることで前記シリンダー接続部を前記シリンダー接続位置に位置決めするように構成されていることを特徴とする請求項１記載のネジ継手締め上げ装置。
【請求項３】
前記継手固定基板部は、周方向に沿って所定間隔で配置された複数の第一位置決め調整孔を有する構成とされ、前記回動基板部は、周方向に沿って前記第一位置決め調整孔と異なる所定間隔で配置された複数の第二位置決め調整孔を有する構成とされ、前記第一位置決め調整孔及び前記第二位置決め調整孔は、前記雄ネジ継手と前記雌ネジ継手とが仮締めされた状態で前記シリンダー接続部が前記シリンダー接続位置に配置されると、該第一位置決め調整孔のいずれかの孔と該第二位置決め調整孔のいずれかの孔とが連通状態となるように構成されており、前記位置調整機構は、前記シリンダー接続部が前記シリンダー接続位置に配置するように前記継手固定基板部に対して前記回動基板部を相対回動させ、連通状態の第一位置決め調整孔と第二位置決め調整孔とに前記回動動作抑制手段としての挿入係止部材を挿通配設することで、前記回動基板部を前記継手固定基板部に対して回動動作不能な状態にして、前記シリンダー接続部を前記シリンダー接続位置に位置決めする構成とされていることを特徴とする請求項２記載のネジ継手締め上げ装置。
【請求項４】
前記第一継手固定部及び前記シリンダー装置は、床に設置される基台部に設けられ、前記シリンダー装置は、この基台部に設けられた前記第一継手固定部を挟んで対称的に配置され、前記第二継手固定部は、前記基台部と分離している構成とされ、前記基台部に設けられた前記第一継手固定部に前記雄ネジ継手と前記雌ネジ継手の一方の継手を固定し、他方の継手を前記第二継手固定部に固定し、この第二継手固定部に固定された前記他方の継手を前記第一継手固定部に固定された前記一方の継手の上方から係合螺着して仮締め状態にした後、前記シリンダー接続部を前記シリンダー接続位置に位置決めするとともに、前記シリンダー接続部に前記シリンダー装置を接続し、前記シリンダー装置を作動させて前記第二継手固定部を回動させることにより該第二継手固定部に固定されている前記他方の継手を螺動させて前記一方の継手に螺着させてゆき、前記シリンダー装置の作動抵抗が設定トルクに達したら、前記シリンダー装置の作動が停止して、前記雄ネジ継手と前記雌ネジ継手との締め上げ操作が停止する構成とされていることを特徴とする請求項１〜３のいずれか１項に記載のネジ継手締め上げ装置。
【発明の詳細な説明】
【技術分野】
【０００１】
本発明は、土木建築分野において支柱や杭として使用される大径金属管の螺着継合に用いられるネジ継手を設定トルクで締め上げるネジ継手締め上げ装置に関するものである。
【背景技術】
【０００２】
従来、土木建築分野における鋼管柱同士や鋼管杭同士の接合作業は溶接によって行われることが一般的であったが、現場での溶接を用いた接合作業は、施工に多くの時間が費やされること、また、作業者の技術力により溶接の品質に差が生じてしまうことなどの問題があることから、近年、新たな接合技術として例えば特許文献１に示すネジ継手を用いた接合が用いられるようになってきている。
【０００３】
また、このようなネジ継手を用いた鋼管の接合（継合）作業においては、現場での締め上げ作業を簡易化するとともに、接合管理を高い精度で行うことを目的として、例えば特許文献２に示すような、合いマークを採用した接合作業が行われている。
【０００４】
この合いマークを採用した接合作業とは、具体的には、事前に（鋼管の接合を実施する前に、具体的には、ネジ継手を鋼管に取り付ける前に）適正なトルクで雄ネジ継手と雌ネジ継手とを締め上げ、この適正トルク出締め上げた状態の雄ネジ継手と雌ネジ継手の外周面に、雄ネジ継手と雌ネジ継手の相対的回転方向の位置を認識するための印（合いマーク）を記し、現場で接合作業を行う際は、この合いマークを目印にして締め付け作業を行うことで、締め上げ作業時にトルク測定をしなくても、適正なトルクでネジ継手を締め上げることができるものである。
【先行技術文献】
【特許文献】
【０００５】
【特許文献１】特開２０１５−１５５６２２号公報
【特許文献２】特開２０１６−１２５５２０号公報
【発明の概要】
【発明が解決しようとする課題】
【０００６】
本発明は、このようなネジ継手に合いマークを記す作業を行う際、容易に且つ高い精度でネジ継手を適正トルクで締め上げた状態にすることができるネジ継手締め上げ装置を提供することを目的とする。
【課題を解決するための手段】
【０００７】
添付図面を参照して本発明の要旨を説明する。
【０００８】
土木建築分野において支柱や杭として使用される大径金属管の螺着継合に用いられるネジ継手の一方の雄ネジ継手１と他方の雌ネジ継手２のいずれか一方の継手が固定される第一継手固定部３と、他方の継手が固定される第二継手固定部４と、前記第一継手固定部３に固定された前記雄ネジ継手１と前記雌ネジ継手２の一方のネジ継手に対して前記第二継手固定部４に固定された他方のネジ継手を相対回動させるシリンダー装置５とからなり、前記第一継手固定部３と前記第二継手固定部４に固定され仮締め状態とされた前記雄ネジ継手１と前記雌ネジ継手２を、前記シリンダー装置５の作動により前記第二継手固定部４に装着された前記雄ネジ継手１と前記雌ネジ継手２のいずれか一方のネジ継手を他方のネジ継手に対して相対回動させて設定トルクで締め上げるネジ継手締め上げ装置であって、前記第二継手固定部４は、前記仮締め状態時に前記シリンダー装置５が接続されるシリンダー接続部６が設けられているとともに、このシリンダー接続部６を所定のシリンダー接続位置に位置調整する位置調整機構を有する構成とされていることを特徴とするネジ継手締め上げ装置に係るものである。
【０００９】
また、前記位置調整機構は、前記雄ネジ継手１又は前記雌ネジ継手２を固定するための継手固定装置７を有する継手固定基板部８と、前記シリンダー接続部６を有し前記継手固定基板部８に回動自在に設けられる回動基板部９と、前記継手固定基板部８に対する前記回動基板部９の相対回動を不能にする回動動作抑止手段とからなり、前記継手固定基板部８に対して前記回動基板部９を相対回動させることで前記継手固定基板部８に固定された前記雄ネジ継手１又は前記雌ネジ継手２を螺動させることなく前記シリンダー接続部６を前記シリンダー接続位置に移動調整することができ、前記回動動作抑止手段により前記回動基板部９を前記継手固定基板部８に対して回動動作不能にすることで前記シリンダー接続部６を前記シリンダー接続位置に位置決めするように構成されていることを特徴とする請求項１記載のネジ継手締め上げ装置に係るものである。
【００１０】
また、前記継手固定基板部８は、周方向に沿って所定間隔で配置された複数の第一位置決め調整孔10を有する構成とされ、前記回動基板部９は、周方向に沿って前記第一位置決め調整孔10と異なる所定間隔で配置された複数の第二位置決め調整孔11を有する構成とされ、前記第一位置決め調整孔10及び前記第二位置決め調整孔11は、前記雄ネジ継手１と前記雌ネジ継手２とが仮締めされた状態で前記シリンダー接続部６が前記シリンダー接続位置に配置されると、該第一位置決め調整孔10のいずれかの孔と該第二位置決め調整孔11のいずれかの孔とが連通状態となるように構成されており、前記位置調整機構は、前記シリンダー接続部６が前記シリンダー接続位置に配置するように前記継手固定基板部８に対して前記回動基板部９を相対回動させ、連通状態の第一位置決め調整孔10と第二位置決め調整孔11とに前記回動動作抑制手段としての挿入係止部材12を挿通配設することで、前記回動基板部９を前記継手固定基板部８に対して回動動作不能な状態にして、前記シリンダー接続部６を前記シリンダー接続位置に位置決めする構成とされていることを特徴とする請求項２記載のネジ継手締め上げ装置に係るものである。
【００１１】
また、前記第一継手固定部３及び前記シリンダー装置５は、床に設置される基台部13に設けられ、前記シリンダー装置５は、この基台部13に設けられた前記第一継手固定部３を挟んで対称的に配置され、前記第二継手固定部４は、前記基台部13と分離している構成とされ、前記基台部13に設けられた前記第一継手固定部３に前記雄ネジ継手１と前記雌ネジ継手２の一方の継手を固定し、他方の継手を前記第二継手固定部４に固定し、この第二継手固定部４に固定された前記他方の継手を前記第一継手固定部３に固定された前記一方の継手の上方から係合螺着して仮締め状態にした後、前記シリンダー接続部６を前記シリンダー接続位置に位置決めするとともに、前記シリンダー接続部６に前記シリンダー装置５を接続し、前記シリンダー装置５を作動させて前記第二継手固定部４を回動させることにより該第二継手固定部４に固定されている前記他方の継手を螺動させて前記一方の継手に螺着させてゆき、前記シリンダー装置５の作動抵抗が設定トルクに達したら、前記シリンダー装置５の作動が停止して、前記雄ネジ継手１と前記雌ネジ継手２との締め上げ操作が停止する構成とされていることを特徴とする請求項１〜３のいずれか１項に記載のネジ継手締め上げ装置に係るものである。
【発明の効果】
【００１２】
本発明は上述のように構成したから、例えば、ネジ継手に適正トルクでの締め上げ状態を認識するための合いマークを記す作業を行う際、容易に且つ高い精度でネジ継手を適正トルクで締め上げた状態にすることができる。
【図面の簡単な説明】
【００１３】
【図１】本実施例を示す斜視図である。
【図２】本実施例（継手装着状態）を示す斜視図である。
【図３】本実施例（継手締め上げ操作状態）を示す斜視図である。
【図４】鋼管用ネジ継手を示す説明分解斜視図である。
【図５】本実施例の第二継手固定部を構成する継手固定基板部８（下側）と回動基板部９（上側）を示す説明平面図である。
【図６】本実施例の第二継手固定部の第一位置決め調整孔と第二位置決め調整孔との配置関係を示す説明図である。
【図７】本実施例の継手回り止め構造（上側：雄ネジ継手、下側：雌ネジ継手）を示す説明概略図である。
【図８】本実施例の使用状態（仮締め完了状態）を示す説明図である。
【図９】本実施例の使用状態（シリンダー接続部位置調整時）を示す説明図である。
【図１０】本実施例の使用状態（シリンダー接続部位置決め完了状態）を示す説明図である。
【図１１】本実施例の使用状態（締め上げ操作状態）を示す説明図である。
【発明を実施するための形態】
【００１４】
好適と考える本発明の実施形態を、図面に基づいて本発明の作用を示して簡単に説明する。
【００１５】
本発明は、例えば鋼管同士を螺着継合するために鋼管に取り付けられるネジ継手を、鋼管に取り付ける前に事前に適正なトルクで締め上げて、この適正トルクで締め上げた状態を現場で容易に再現（認識）できるように合いマークをネジ継手に記す際に、ネジ継手を適正トルクで締め上げるためのネジ継手締め上げ装置である。
【００１６】
本発明を用いてネジ継手を締め上げる場合、ネジ継手の一方の雄ネジ継手１と他方の雌ネジ継手２のいずれか一方の継手（ここでは雌ネジ継手２とする）を第一継手固定部３に固定し、他方の継手（ここでは雄ネジ継手１とする）を第二継手固定部４に固定し、この第二継手固定部４に固定した雄ネジ継手１を第一継手固定部３に固定した雌ネジ継手２に係合し、例えば作業者が適宜な力で第二継手固定部４を回動操作して雄ネジ継手１を雌ネジ継手２に螺着してゆき、雄ネジ継手１と雌ネジ継手２とを仮締め状態にする。
【００１７】
このネジ継手を仮締め状態にした際に、雄ネジ継手１を固定している第二継手固定部４に設けられているシリンダー接続部６がシリンダー装置５と接続される所定のシリンダー接続位置とは異なる位置に停止している場合は、第二継手固定部４に設けられた位置調整機構によりシリンダー接続部６を所定のシリンダー接続位置に移動調整してシリンダー装置５と接続可能な状態にする。
【００１８】
このシリンダー接続部６の位置調整後、この所定のシリンダー接続位置に位置したシリンダー接続部６を位置決め状態、言い換えると第二継手固定部４に対して固定状態にするとともにシリンダー接続部６にシリンダー装置５（具体的には、シリンダーロッド14の先端部）を接続する。
【００１９】
このシリンダー接続部６に接続したシリンダー装置５を作動させると、シリンダーロッド14が伸長動作してシリンダー接続部６を接線方向に押圧し、これにより第二継手固定部４が回動動作することで雄ネジ継手１が螺動して雌ネジ継手２に対して締め上げ操作される。
【００２０】
この締め上げ操作において、例えば、シリンダー装置５に荷重センサ（ロードセル）を設けて、シリンダー装置５の締め上げ力をこの荷重センサで検知するように構成して、この荷重センサが設定した締め上げ力（設定トルク）を検知した際にシリンダー装置５を停止させるようにすれば、設定した適正トルクで雄ネジ継手１を雌ネジ継手２に対して締め上げ操作することができる。
【実施例】
【００２１】
本発明の具体的な実施例について図面に基づいて説明する。
【００２２】
本実施例は、土木建築分野において支柱や杭として使用される大径金属管、いわゆる鋼管柱や鋼管杭の螺着継合に用いられる鋼管用ネジ継手を適正トルク（設定したトルク）で締め上げるための鋼管用ネジ継手締め上げ装置であり、例えば、鋼管用ネジ継手に適正トルクにおける締め上げ状態を認識できる合いマークを付する際などに用いるものである。
【００２３】
具体的には、本実施例の鋼管用ネジ継手締め上げ装置は、鋼管用ネジ継手の一方の雄ネジ継手１と他方の雌ネジ継手２のいずれか一方の継手が固定される第一継手固定部３と、他方の継手が固定される第二継手固定部４と、第一継手固定部３に固定された一方のネジ継手に対して第二継手固定部４に固定された他方のネジ継手を相対回動させるシリンダー装置５とで構成されており、第一継手固定部３と第二継手固定部４に固定され仮締め状態とされた雄ネジ継手１と雌ネジ継手２を、シリンダー装置５の作動により第二継手固定部４に装着された一方のネジ継手を他方のネジ継手に対して相対回動させて設定トルクで締め上げる構成とされている。尚、本実施例は、第一継手固定部３を雌ネジ継手２が固定される固定部、第二継手固定部４を雄ネジ継手１が固定される固定部として構成した場合であり、以下に、前記構成における本実施例の構成各部について詳述する。
【００２４】
雌ネジ継手２を固定する第一継手固定部３は、図示するように、円盤状に形成された基板部15上に、雌ネジ継手２を載置するための継手載置部16と、この継手載置部16上に載置した雌ネジ継手２を回り止め固定する複数（本実施例では八体）の継手固定装置17とが設けられている構成とされ、床に設置される基台部13に設けられている。
【００２５】
また、継手固定装置17は、基板部15の中心から放射方向に延設されたレール部18と、このレール部18にスライド自在に設けられるスライダー部19とからなり、スライダー部19には、雌ネジ継手２の内壁に設けられたキー溝部20に係合係止するキー部材21が設けられていて、継手載置部16上に載置し位置決めされた雌ネジ継手２に対して、この雌ネジ継手２の内側に配置されるスライダー部19を雌ネジ継手２の内壁に接近移動させて、このスライダー部19のキー部材21を雌ネジ継手２のキー溝部20に係合係止させることにより、継手載置部16に載置した雌ネジ継手２を回り止め状態にする構成とされている。
【００２６】
また、雄ネジ継手１を固定する第二継手固定部４は、第一継手固定部３が設けられた基台部13とは分離独立して設けられており、図示するように、雄ネジ継手１をこの第二継手固定部４に対して垂下状態で回り止め固定する構成とされている。
【００２７】
また、この第二継手固定部４には、鋼管用ネジ継手を設定トルク（適正トルク）で締め上げ操作するためのシリンダー装置５が接続されるシリンダー接続部６と、このシリンダー接続部６を所定の（適正な）シリンダー接続位置に配置するための位置調整機構が設けられている。
【００２８】
具体的には、第二継手固定部４は、図示するように、継手固定基板部８と、この継手固定基板部８に回動自在に設けられる回動基板部９との二体の基板部と、継手固定基板部８に対する回動基板部９の回動動作を抑制する回動動作抑制手段とからなる構成とされている。
【００２９】
より具体的に説明すると、継手固定基板部８は、円盤状に形成されており、一側面には雄ネジ継手１を回り止め固定する複数（本実施例では八体）の継手固定装置７と、垂下状態の雄ネジ継手１の落下を抑止して固定する複数（本実施例では四体）の落下抑止固定部22とが設けられており、また、他側面には回動基板部９を回動自在に設けるための回動基板位置決め係合部23が設けられている。
【００３０】
この継手固定基板部８に設けられている継手固定装置７は、前述した第一継手固定部３に設けられている継手固定装置17と同様に構成されていて、継手固定基板部８の中心から放射方向に延設されたレール部24と、このレール部24にスライド自在に設けられるスライダー部25とからなり、スライダー部25には、雄ネジ継手１の内壁に設けられたキー溝部26に係合係止するキー部材27が設けられていて、継手固定基板部８に固定された雄ネジ継手１に対して、この雄ネジ継手１の内側に配置されるスライダー部25を雄ネジ継手１の内壁に接近移動させて、このスライダー部25のキー部材27を雄ネジ継手１のキー溝部26に係合係止させることにより、継手固定基板部８上に配置した雄ネジ継手１を回り止め状態にする構成とされている。
【００３１】
また、落下抑止固定部22は、スライドレール部22ａと、このスライドレール部22ａにスライド自在に設けられた係止爪部22ｂとからなり、この係止爪部22ｂを雄ネジ継手１の外面に形成されている雌ネジ継手２との係合段差部28に係止させることで、第二継手固定部４（継手固定基板部８）に対して雄ネジ継手１を垂下状態で固定する構成とされている。
【００３２】
また、本実施例の継手固定基板部８は、図示するように、周方向に沿って所定間隔で配置された複数の第一位置決め調整孔10が設けられている。
【００３３】
この第一位置決め調整孔10は、後述する第二位置決め調整孔11とともに、シリンダー接続部６を適正なシリンダー接続位置に位置決めするためのものであり、本実施例の継手固定基板部８は、この第一位置決め調整孔10が、１０°間隔で全周に亘って設けられている構成とされている。
【００３４】
また、この継手固定基板部８に回動自在に設けられる回動基板部９は、円環状の帯板材からなり、周縁部にシリンダー接続部６が設けられている。
【００３５】
シリンダー接続部６は二箇所に設けられており、具体的には、回動基板部９の中心を通る一直線上に対向状態に設けられた構成とされている。
【００３６】
また、本実施例の回動基板部９は、前述した継手固定基板部８の第一位置決め調整孔10と係合してシリンダー接続部６を適正なシリンダー接続位置に位置決めする第二位置決め調整孔11が設けられている。
【００３７】
この第二位置決め調整孔11は、回動基板部９の周方向に沿って前述した継手固定基板部８の第一位置決め調整孔10と異なる所定間隔で配置されたており、具体的には、本実施例の回動基板部９は、この第二位置決め調整孔11が、８°間隔でシリンダー接続部６近傍に所定の範囲に亘って設けられた構成とされている。
【００３８】
即ち、本実施例の回動基板部９は、継手固定基板部８に重ね合わせ配設してこの継手固定基板部８に対して回動自在に設けた状態とした際、回動基板部９に設けられた第二位置決め調整孔11のいずれかの孔が、継手固定基板部８に設けられた第一位置決め調整孔10のいずれかの孔と連通状態となり、この連通状態となった第一位置決め調整孔10と第二位置決め調整孔11とに回動動作抑制手段としての挿入係止部材12（具体的には、係止ピン12）を挿通配設することで、継手固定基板部８に対する回動基板部９の回動動作が抑制されて、継手固定基板部８と回動基板部９とが一体化された状態（共回り状態）となるように構成されている。
【００３９】
また、本実施例は、前述したように、第一位置決め調整孔10は１０°間隔で配置され、また、第二位置決め調整孔11は８°間隔で配置されて、配置間隔に２°の位相差が設けられているので、継手固定基板部８に対する回動基板部９の位相位置を２°単位で位置決めすることができ、これにより、シリンダー接続部６を所定のシリンダー接続位置に対して精度良く位置決めすることができる構成とされている。
【００４０】
即ち、本実施例は、第二継手固定部４そのものが位置調整機構として構成されており、継手固定基板部８に対して回動基板部９を相対回動させて、この回動基板部９に設けられたシリンダー接続部６を所定の（適正な）シリンダー接続位置に配置した状態とし、このシリンダー接続部６が所定のシリンダー接続位置に配置された状態で連通状態となっている第一位置決め調整孔10と第二位置決め調整孔11とに係止ピン12を挿通配設することで、シリンダー接続部６が所定のシリンダー接続位置に位置決めされた状態で継手固定基板部８と回動基板部９とが一体化して（共回り状態になり）、シリンダー装置５による締め上げ操作が可能な状態となる構成とされている。
【００４１】
また、鋼管用ネジ継手を締め上げ操作するシリンダー装置５は、鋼管用ネジ継手の締め上げ力（締め上げトルク）を検知する荷重センサが設けられており、この荷重センサが設定されたトルクを検知することで動作が停止して、鋼管用ネジ継手を設定した適正なトルクで締め上げ操作することができるように構成されている。
【００４２】
また、本実施例のシリンダー装置５は、第一継手固定部３とともに基台部13に設けられており、より具体的には、基台部13の中央に配置された第一継手固定部３を挟んで前後方向（左右方向）両側に対称的に配置された構成とされ、具体的には、第一継手固定部３を挟んで対称的に配置されたシリンダー装置取付台部29に上下移動自在且つ水平方向に回動自在に設けられており、様々な大きさの鋼管用ネジ継手に接続可能な構成とされている。
【００４３】
次に、以上のように構成される本実施例を用いた鋼管用ネジ継手の締め上げ作業方法について説明する。
【００４４】
先ず、雄ネジ継手１と雌ネジ継手２をそれぞれ第二継手固定部４と第一継手固定部３に固定する。
【００４５】
雄ネジ継手１を第二継手固定部４に固定する際は、継手固定基板部８側を上側にして、この継手固定基板部８上に雄ネジ継手１を載置し、継手固定装置７と落下抑止固定部22で固定する。
【００４６】
次いで、雄ネジ継手１と雌ネジ継手２を係合する。具体的には、雄ネジ継手１を固定した第二継手固定部４を、反転機等を用いて上下反転させて雄ネジ継手１を第二継手固定部４に対して垂下状態にし、クレーンなどで吊持して第一継手固定部３に固定した雌ネジ継手２の上方から雄ネジ継手１を係合する。
【００４７】
この雄ネジ継手１と雌ネジ継手２を係合させたら、作業者の人力により雄ネジ継手１を雌ネジ継手２に螺着してゆき仮締め状態にする。
【００４８】
この仮締め作業完了後、第二継手固定部４の回動基板部９を継手固定基板部８に対して回動動作可能な状態（フリー状態）にし、回動基板部９に設けられているシリンダー接続部６をシリンダー装置５と接続するシリンダー接続位置に移動調整した後、回動基板部９を継手固定基板部８に対して回動不能状態にしてシリンダー接続部６を位置決めする。
【００４９】
具体的には、例えば、回動基板部９を継手固定基板部８に対してフリー状態にしてシリンダー接続部６をシリンダー接続位置近傍に移動させ、回動基板部９をフリー状態にしたままシリンダー接続部６にシリンダー装置５を接続し、このシリンダー接続部６とシリンダー装置５の接続完了後、第一位置決め調整孔10と第二位置決め調整孔11が連通状態となっている個所を見つけて係止ピン12を挿入配設して、回動基板部９を継手固定基板部８に対して回動不能状態にしてシリンダー接続部６を位置決めする。
【００５０】
また、上記以外の方法として、例えば、回動基板部９を継手固定基板部８に対してフリー状態にしてシリンダー接続部６をシリンダー接続位置近傍に移動させて、一旦、係止ピン12を連通孔に挿通配設して位置決め状態にし、この状態から係止ピン12の抜き、この係止ピン12を抜き取った回動基板部９の第二位置決め調整孔11の一つ隣の第二位置決め調整孔11に挿通し、この第二位置決め調整孔11に挿通させた係止ピン12が第一位置決め調整孔10にも挿通するように回動基板部９を移動させる。これにより回動基板部９が２°回動してシリンダー接続部６の位置が微調整される。これを繰り返し行い、シリンダー接続部６の位置をシリンダー接続位置に移動調整させても良い。
【００５１】
シリンダー接続部６とシリンダー装置５の接続完了後、シリンダー装置５を作動させて雄ネジ継手１を雌ネジ継手２に対して締め上げ操作する。
【００５２】
この締め上げ操作においては、雌ネジ継手２に対する雄ネジ継手１の締め上げ力が設定トルクに達すると、シリンダー装置５に設けられた荷重センサがこれを検知し、シリンダー装置５の動作が停止するので、シリンダー装置５の動作が停止したら、シリンダー装置５とシリンダー接続部６との接続を切り離し、締め上げ作業完了となる。
【００５３】
尚、例えば、鋼管用ネジ継手に合いマークを付した後、再度、鋼管用ネジ継の雄ネジ継手１と雌ネジ継手２とを分離状態にする場合は、再度、シリンダー接続部６にシリンダー装置５を接続し、締め上げ操作と逆方向にシリンダー装置５を動作させて雄ネジ継手１を弛み方向に螺動させてから、人力により分離操作すれば良い。
【００５４】
尚、本発明は、本実施例に限られるものではなく、各構成要件の具体的構成は適宜設計し得るものである。
【符号の説明】
【００５５】
１  雄ネジ継手
２  雌ネジ継手
３  第一継手固定部
４  第二継手固定部
５  シリンダー装置
６  シリンダー接続部
７  継手固定装置
８  継手固定基板部
９  回動基板部
10  第一位置決め調整孔
11  第二位置決め調整孔
12  挿入係止部材
13  基台部
【図１】
2018140467.tif 000003
【図２】
2018140467.tif 000004
【図３】
2018140467.tif 000005
【図４】
2018140467.tif 000006
【図５】
2018140467.tif 000007
【図６】
2018140467.tif 000008
【図７】
2018140467.tif 000009
【図８】
2018140467.tif 000010
【図９】
2018140467.tif 000011
【図１０】
2018140467.tif 000012
【図１１】
2018140467.tif 000013